(57)【要約】      （修正有）【課題】コンパクトな外観を有しながら耐荷重・耐久性が大きく、且つ、接続配管への装着時に抜け難い構造の配管接続連結具を提供する。【解決手段】配管同士のフランジ部を当接させた状態で連結するための連結具であって、案内片の基部間がフランジ部１０２，１０３の直径より狭い幅となるフランジ挿入用開口部と、その反対側に設けられ当接フランジの頂面を上面から当接して支持可能とする上方支持面を有する上方支持部と、上方支持部と前記各案内片との間に互いに対向するように設けられ当接フランジの頂面を側面から当接して支持可能とする側方支持面を有する側方支持部１６，１７と、配管の軸方向に折曲するとともに第１のフランジ装着穴３３を有して当接フランジを挟む第１のフランジ挟持部と、配管の軸方向に折曲するとともに第２のフランジ装着穴４３を有する。【選択図】図３
0003144012.tif 000002
【実用新案登録請求の範囲】
【請求項１】
フランジ部が形成された配管同士の前記フランジ部を当接させた状態で連結するために一体的に形成されて弾性を有する連結具であって、
外側に折曲する一対の案内片を形成して誘導部とし、誘導部における前記案内片の基部間が前記フランジ部の直径より狭い幅となるフランジ挿入用開口部と、
前記フランジ挿入用開口部の反対側に設けられ、当接フランジの頂面を上面から当接して支持可能とする上方支持面を有する上方支持部と、
前記上方支持部と前記各案内片との間に互いに対向するように設けられ、当接フランジの頂面を側面から当接して支持可能とする側方支持面を有する側方支持部と、
前記上方支持部と各側方支持部との間に前記配管の軸方向に折曲するとともに第１のフランジ装着穴を有することで前記当接フランジを挟む第１のフランジ挟持部と、
前記側方支持部と前記案内片との間の前記配管の軸方向に折曲するとともに第２のフランジ装着穴を有することで前記当接フランジを挟む第２のフランジ挟持部と
を具備することを特徴とする配管接続連結具。
【請求項２】
前記誘導部は、各案内片を外側にヘミング加工して形成した請求項１に記載の配管接続具。
【請求項３】
それぞれフランジ部が形成された径が異なる配管同士の前記フランジ部を当接させた状態で連結するために一体的に形成されて弾性を有する連結用金具であって、
外側に折曲する一対の案内片を形成して誘導部とし、誘導部における前記案内片の基部間が前記フランジ部の直径より狭い幅となるフランジ挿入用開口部と、
前記フランジ挿入用開口部の反対側に設けられ、当接フランジの頂面を上面から当接して支持可能とする上方支持面を有する上方支持部と、
前記上方支持部と前記各案内片との間に互いに対向するように設けられ、当接フランジの頂面を側面から当接して支持可能とする側方支持面を有する側方支持部と、
前記上方支持部と各側方支持部との間に前記配管の軸方向に折曲するとともに第１のフランジ装着穴を有することで前記当接フランジを挟む第１のフランジ挟持部と、
前記側方支持部と前記案内片との間の前記配管の軸方向に折曲するとともに第２のフランジ装着穴を有することで前記当接フランジを挟む第２のフランジ挟持部とを有する一方、
前記第１のフランジ挟持部及び第２のフランジ挟持部は、径の異なる配管のフランジ部を挟持するため、各フランジ装着穴の左右において配管の軸方向への折曲角度が異なるように構成したことを特徴とする配管接続連結具。
【考案の詳細な説明】
【技術分野】
【０００１】
本考案は端部にフランジ部を有する配管同士を連結するための配管接続連結具に関する。
【背景技術】
【０００２】
給湯装置や温水暖房装置においては、所定場所に熱湯や温水を供給するために、配管と配管とを接続して通路を構成している。この通路には、配管と配管の接続部、配管と分岐部品との接続部、配管その他の部品と各種装置との接続部など、多くの接続部が設けられている。これら配管やその接続部は、通路内部に発生する水圧や熱膨張などに伴う圧力、更には温度変化に耐えられるような耐久性を有する構造が要求される。
【０００３】
配管同士の接続部における構造は、例えば図８に示すように、それぞれフランジ部を有する配管１００と配管１０１とにおいて、一方の配管の連結部を他方の配管の連結部に嵌合して両フランジ部１０２，１０３を当接させて接続するように構成されている。そして、フランジ部同士が当接する接続部分（当接フランジ）において、連結部の嵌合状態を維持するために、フランジ部１０２，１０３端部を連結具１で固定する構造が提案されている（例えば特許文献１及び特許文献２の従来例の説明を参照）。
【特許文献１】実用新案登録第３０８４３８２号
【特許文献２】特許第３５０３２６１号
【０００４】
連結具１は、図８に示すように、金属弾性板材から一体的に形成されるものであって、断面を略コ字状に形成して結合バネ部として作用する基部２と、基部２の両側にそれぞれ延設して形成される左右対称形状の一対の腕部３，３と、各腕部３の先端部４をそれぞれ外側に折り曲げて形成した開口部５と、各腕部３，３において基部２から先端側にわたって形成した矩形穴６，６を有している。
【０００５】
そして、配管１００，１０１におけるフランジ部１０２，１０３の当接部分（当接フランジ）の外周を両側から挟むように連結具１を装着し、その一部が矩形穴６，６に挿入され、基部２に対して両側に位置する各腕部３，３が挟持方向に付勢されることで、連結具１により配管１００、１０１同士の接続部を固定するようになっている。
【考案の開示】
【考案が解決しようとする課題】
【０００６】
上記した連結具１を使用した配管同士１００，１０１の接続部の構造によると、配管同士の当接フランジは、連結具１の両側における腕部３，３にそれぞれ設けられた矩形穴６，６に挿入されることで固定されるが、フランジ部１０２，１０３の周囲縁の上面が連結具１の何れかの部分により直接支持するような構造でないため、耐荷重や耐久性が十分でないという問題点があった。
【０００７】
また、連結具１において結合バネ部として作用する基部２は、その性質上突出して形成される必要があるため、連結具１の全体のクリアランス外径が大きくなり、狭い部分への装着ができないという問題点があった。
この点については、特許文献１及び特許文献２で改良された配管接続金具によっても解消されていない。
【０００８】
本発明は上記実情に鑑みて提案されたもので、コンパクトな外観を有しながら耐荷重・耐久性が大きく、且つ、接続配管への装着時に抜け難い構造の配管接続連結具を提供することを目的とする。
【課題を解決するための手段】
【０００９】
上記目的を達成するため請求項１の配管接続連結具は、フランジ部が形成された配管同士の前記フランジ部を当接させた状態で連結するために一体的に形成されて弾性を有する連結具であって、次の構成を含むことを特徴としている。
フランジ挿入用開口部。このフランジ挿入用開口部は、外側に折曲する一対の案内片を形成して誘導部とし、誘導部における前記案内片の基部間が前記フランジ部の直径より狭い幅となるように構成されている。
上方支持部。この上方支持部は、前記フランジ挿入用開口部の反対側に設けられ、当接フランジの頂面を上面から当接して支持可能とする上方支持面を有するよう構成されている。
側方支持部。この側方支持部は、前記上方支持部と前記各案内片との間に互いに対向するように設けられ、当接フランジの頂面を側面から当接して支持可能とする側方支持面を有するよう構成されている。
第１のフランジ挟持部。第１のフランジ挟持部は、前記上方支持部と各側方支持部との間に前記配管の軸方向に折曲するとともに第１のフランジ装着穴を有することで前記当接フランジを挟むよう構成されている。
第２のフランジ挟持部。第２のフランジ挟持部は、前記側方支持部と前記案内片との間の前記配管の軸方向に折曲するとともに第２のフランジ装着穴を有することで前記当接フランジを挟むよう構成されている。
【００１０】
請求項２は、請求項１に記載の配管接続連結具において、前記誘導部は、各案内片を外側にヘミング加工して形成したことを特徴としている。
【００１１】
請求項３の配管接続連結具は、それぞれフランジ部が形成された径の異なる配管同士の前記フランジ部を当接させた状態で連結するために一体的に形成されて弾性を有する連結用金具であって、次の構成を含むことを特徴としている。
フランジ挿入用開口部。このフランジ挿入用開口部は、外側に折曲する一対の案内片を形成して誘導部とし、誘導部における前記案内片の基部間が前記フランジ部の直径より狭い幅となるよう構成されている。
上方支持部。この上方支持部は、前記フランジ挿入用開口部の反対側に設けられ、当接フランジの頂面を上面から当接して支持可能とする上方支持面を有するよう構成されている。
側方支持部。この側方支持部は、前記上方支持部と前記各案内片との間に互いに対向するように設けられ、当接フランジの頂面を側面から当接して支持可能とする側方支持面を有するよう構成されている。
第１のフランジ挟持部。第１のフランジ挟持部は、前記上方支持部と各側方支持部との間に前記配管の軸方向に折曲するとともに第１のフランジ装着穴を有することで前記当接フランジを挟むよう構成されている。
第２のフランジ挟持部。第２のフランジ挟持部は、前記側方支持部と前記案内片との間の前記配管の軸方向に折曲するとともに第２のフランジ装着穴を有することで前記当接フランジを挟むよう構成されている。
そして、前記第１のフランジ挟持部及び第２のフランジ挟持部は、外径の異なるフランジ部を挟持するため、各フランジ装着穴の左右において配管の軸方向への折曲角度が異なるように構成している。
【考案の効果】
【００１２】
本発明の配管接続連結具（請求項１）によれば、各フランジ挟持部に設けたフランジ装着穴で当接フランジを挟むとともに、上方支持部及び側方支持部で当接フランジの頂面及び両側面を支持するようにしたので、フランジ部が連結具の部位（上方支持部及び側方支持部）により直接支持する構造となり、コンパクトな外観を有しながら接続配管への装着時における耐荷重を大きくすることができる。
【００１３】
請求項２の配管接続連結具によれば、各案内片を外側にヘミング加工した誘導部を有しているので、当接フランジに配管接続連結具を装着するに際して、円滑な装着を可能にすることができる。
【００１４】
請求項３の配管接続連結具によれば、第１のフランジ挟持部と第２のフランジ挟持部について、各フランジ装着穴の左右において配管の軸方向への折曲角度が異なるよう構成しているので、径が異なる配管のフランジ部が形成された配管同士の当接フランジに対して装着することが可能となる。
【考案を実施するための最良の形態】
【００１５】
本発明の実施の形態の一例としての配管接続連結具について、図１及び図２を参照しながら説明する。図１は配管接続連結具の斜視説明図、図２は配管接続連結具の断面説明図である。
【００１６】
本発明の配管接続連結具１１は、フランジ部が形成された配管同士を当接させた当接フランジに対して装着するように、長尺状の金属片をプレス加工処理して弾性を有するように一体的に形成されるもので、当接フランジに対して挿入口となるフランジ挿入用開口部１２と、フランジ挿入用開口部の反対側に設けられた上方支持部１３と、上方支持部から両側に延設された腕部１４，１５の互いに対向する位置に側方支持部１６，１７を設けて構成されている。
すなわち、配管接続連結具１１は一枚の方形片から構成され、腕部１４、１５同士を上方支持部１３で連結し、腕部同士を開いた場合にこれらを元の位置に戻すばね作用を発揮する（弾性を有する）ように構成されている。
【００１７】
フランジ挿入用開口部１２は、腕部１４，１５の端部に外側に折曲する一対の案内片２１，２２を設けることで当接フランジに対する誘導部を形成し、この誘導部における案内片２１，２２の基部２１ａ，２２ａ間が当接フランジの直径より狭い幅とすることで、配管接続連結具１１が当接フランジに装着された場合に上方支持部１３を中心に両側の腕部１４，１５に対して当接フランジを挟む方向に弾性力が生じるように構成されている。
【００１８】
上方支持部１３は、フランジ挿入用開口部１２の反対側に設けられ、当接フランジの頂面を上面から当接して支持可能とする上方支持面１３ａを有して構成されている。
側方支持部１６，１７は、上方支持部１３と各案内片２１，２２との間に互いに対向するように設けられ、当接フランジの頂面を側面から当接して支持可能とする側方支持面１６ａ，１７ａを有して構成されている。
【００１９】
各腕部１４，１５における上方支持部１３と各側方支持部１６，１７との間には、当接フランジを挟むための第１のフランジ挟持部３１，３１がそれぞれ形成されている。第１のフランジ挟持部３１は、腕部１４，１５を配管の軸方向に凹ませて折曲部３２を形成するとともに、折曲部３２を含む位置に長方形状の第１のフランジ装着穴３３を有して構成されている。
【００２０】
各腕部１４，１５における各側方支持部１６，１７と案内片２１，２２との間には、当接フランジを挟むための第２のフランジ挟持部４１がそれぞれ形成されている。第２のフランジ挟持部４１は、腕部１４，１５を配管の軸方向に凹ませて折曲部４２を形成するとともに、折曲部４２を含む位置に長方形状の第２のフランジ装着穴４３を有して構成されている。
【００２１】
続いて、上記構成の配管接続連結具１１の使用の仕方について、図１〜図５を参照しながら説明する。図３は配管接続連結具を配管同士のフランジ部に装着した場合の斜視説明図、図４は配管接続連結具を配管同士のフランジ部に装着した場合の平面説明図、図５は配管接続連結具を配管同士のフランジ部に装着した場合の側面説明図をそれぞれ示している。
【００２２】
本発明の配管接続連結具１１は、例えば図８（ｂ）に示すように、配管１００，１０１同士を連結するための連結具であり、それぞれフランジ部１０２、１０３を有する配管１００と配管１０１とにおいて、両フランジ部１０２，１０３を当接させた当接フランジに被せるように固定する。
すなわち、当接フランジに対して配管接続連結具１１のフランジ挿入用開口部１２の導入部側を装着し、当接フランジに沿って押し込むと、上方支持部１３に対して案内片２１，２２が拡開し、更に押し込むことで拡開状態から通常状態になって当接フランジが第１のフランジ挟持部３１の第１のフランジ装着穴３３、及び、第２のフランジ挟持部４１の第２のフランジ挿入穴４３内に配置して挟持されることで固定される（図３、図４及び図５）。
【００２３】
当接フランジは、配管接続連結具１１の第１のフランジ挟持部３１及び第２のフランジ挟持部４１の両方で挟持されるとともに、上方支持部１３の支持面１３aと側方支持部１６，１７の支持面１６ａ，１７ａが当接フランジの上面に当接して支持可能とすることで、当接フランジに対して配管接続連結具１１が左右にずれることなく確実に装着させることができる。
また、この時、第１のフランジ挟持部３１の折曲部３２と、第２のフランジ挟持部４１の折曲部４２が配管径に接触するように構成することで、当接フランジに対して配管接続連結具１１が点接触により支持することができ、確実な装着を可能とする。
【００２４】
導入部に形成される折曲部４２は外側にコーナーアールが形成され、且つ、第２のフランジ装着孔がフランジ挿入用開口部まで延ばされて形成されているので、当接フランジに配管接続連結具１１の導入部を押し当てた際に、コーナーアール及び第２のフランジ装着孔が誘いの役割を果して当接フランジ側へのスムーズな装着を可能とすることができる。
【００２５】
接続された配管内に水圧が発生すると、その圧力で配管の接続中心に対して左配管１００と右配管１０１を左右に分離しようとする力が発生する。スラスト荷重は当接フランジの各フランジ部１０２、１０３を介して配管接続連結具１１側に作用することになるが、上方支持部１３の支持面１３aと側方支持部１６，１７の支持面１６ａ，１７ａがそれぞれ当接フランジの上面に近接・存在していることで、左右に分離しようとする力への対抗となり、従来例で説明した当接フランジの上部を支持する面がない配管接続連結具１に比較して耐荷重を大きくすることができ、耐荷重性に優れた構造とすることができる。
【００２６】
また、上記構造の配管接続連結具１１によれば、当接フランジの周囲に当接して支持可能として上方支持部１３及び側方支持部１６，１７が設定されているため、従来例の連結具１（図８）や特許文献１及び特許文献２で改良された配管接続金具のように、外側に凸状に膨出する結合バネ部（基部２）が存在しない。そのため、配管接続連結具１１のクリアランス外径を従来の連結具１に比較してコンパクトにすることができ、装着箇所の自由度を広げることができる。
【００２７】
上記の実施例では、第１のフランジ挟持部３１に形成される第１のフランジ装着穴３３、及び、第２のフランジ挟持部４１に形成される第２のフランジ装着穴４３の形状を長方形としたが、穴の四隅を円弧状に形成してもよい。各フランジ装着穴の四隅を円弧状に形成した場合、四隅に発生する応力を分散でき、この部分における耐久性の向上を図ることができる。
【００２８】
図６は、配管接続連結具の他の実施例を示すもので、図１及び図２の実施例と同一の構成となる部分については同一符号を付している。
この例では、配管接続連結具１１のフランジ挿入用開口部１２の誘導部について、各案内片２１，２２の外側についてフランジ挿入用開口部１２の反対側に折り曲げるヘミング加工の処理がなされている。そのため、当接フランジに装着するに際して、各案内片２１，２２の先端が邪魔になることがなく、当接フランジ側へのスムーズな装着を可能とすることができる。
【００２９】
図７は、配管接続連結具の他の実施例を示すもので、図１及び図２の実施例と同一の構成となる部分については同一符号を付している。
この例では、それぞれフランジ部が形成された径が異なる配管同士の前記フランジ部を当接させた状態で連結できるように、第１のフランジ挟持部３１及び第２のフランジ挟持部４１において、その両側位置（図７では上下方向の位置）において、外径の異なる配管をそれぞれ支持できるようになっている。
【００３０】
第１のフランジ挟持部３１及び第２のフランジ挟持部４１は、径が異なる配管のフランジ部を挟持するため、第１のフランジ装着穴３３，第２のフランジ装着穴４３の上下方向（図７）において、配管の軸方向への折曲角度が異なるように構成している。
すなわち、図７で上側に位置する第１のフランジ装着穴３３の折曲部３２ａ、第２のフランジ装着穴４３の折曲部４２ａより、図７で下側に位置する第１のフランジ装着穴３３の折曲部３２ｂ、第２のフランジ装着穴４３の折曲部４２ｂの折曲角度を大きくすることで、折曲部３２ｂ及び折曲部４２ｂで支持する径の大きさが小さく設定できるようにしている。支持できる径の大きさについては、大径側を含めて折曲部３２及び折曲部４２の折曲角度を変更することで対処することができる。
【産業上の利用可能性】
【００３１】
本発明の配管接続連結具によれば、コンパクトな外観を有しながら耐荷重が大きく、且つ、接続配管装着時に抜け難い構造の配管接続連結具とすることができ、給湯装置や温水暖房装置における配管接続の装着箇所に応じた有用な部品を提供することができる。
【図面の簡単な説明】
【００３２】
【図１】本発明に係る配管接続連結具の実施の形態の一例を示す斜視説明図である。
【図２】配管接続連結具の断面説明図である。
【図３】配管接続連結具を配管同士のフランジ部に装着した場合の斜視説明図である。
【図４】配管接続連結具を配管同士のフランジ部に装着した場合の平面説明図である。
【図５】は配管接続連結具を配管同士のフランジ部に装着した場合の側面説明図である。
【図６】配管接続連結具の実施の形態の他の例を示す断面説明図である。
【図７】配管接続連結具の実施の形態の他の例を示す断面説明図である。
【図８】従来の配管接続連結具を使用して配管同士を接続した場合の斜視説明図である。
【符号の説明】
【００３３】
１１  配管接続連結具
１２  フランジ挿入用開口部
１３  上方支持部
１４，１５  腕部
１６，１７  側方支持部
２１，２２  案内片
３１  第１のフランジ挟持部
３２  折曲部
３３  第１のフランジ装着穴
４１  第２のフランジ挟持部
４２  折曲部
４３  第２のフランジ装着穴
１００  配管
１０１  配管
１０２，１０３  フランジ部
【図１】
0003144012.tif 000003
【図２】
0003144012.tif 000004
【図３】
0003144012.tif 000005
【図４】
0003144012.tif 000006
【図５】
0003144012.tif 000007
【図６】
0003144012.tif 000008
【図７】
0003144012.tif 000009
【図８】
0003144012.tif 000010